(57)【要約】【課題】フィニッシャを設けずとも仕分けされる用紙を部数ごとに整合させることが可能な画像形成装置を提供する。【解決手段】排出された用紙を受け取る排紙トレイ３０を有する画像形成装置であって、排紙トレイ３０は、用紙が排出される排出方向の一方側に向かうに従って下向し、かつ、上記排出方向に対し直交する略水平方向の一方側に向かうに従って下向する傾斜面３２ａと、傾斜面３２ａの上記排出方向及び上記略水平方向の下端部からそれぞれ立設される第一係止面３３ａ及び第二係止面３４ａとを有する用紙受取部３１ａを備えるという構成を採用する。【選択図】図２
2009040520.tif 000002
【特許請求の範囲】
【請求項１】
排出された用紙を受け取る排紙トレイを有する画像形成装置であって、
前記排紙トレイは、前記用紙が排出される排出方向の一方側に向かうに従って下向し、かつ、前記排出方向に対し直交する略水平方向の一方側に向かうに従って下向する傾斜面と、前記傾斜面の前記排出方向及び前記略水平方向の下端部からそれぞれ立設される第一係止面及び第二係止面とを有する用紙受取部を備えることを特徴とする画像形成装置。
【請求項２】
前記傾斜面は、前記排出方向の断面輪郭形状が、水平面に対する接線の傾きが前記排出方向の一方側に向かうに従って漸次大きくなる曲線形状を有することを特徴とする請求項１に記載の画像形成装置。
【請求項３】
前記傾斜面は、前記略水平方向の断面輪郭形状が、水平面に対する接線の傾きが前記略水平方向の一方側に向かうに従って漸次大きくなる曲線形状を有することを特徴とする請求項１または２に記載の画像形成装置。
【請求項４】
前記用紙受取部は、前記排出方向に、前記用紙が排出される排出速度に応じた間隔で、複数設けられることを特徴とする請求項１〜３のいずれか一項に記載の画像形成装置。
【請求項５】
前記間隔は、異なった用紙規格の寸法に基づいて設定されることを特徴とする請求項４に記載の画像形成装置。
【請求項６】
前記間隔は、同じ用紙規格の縦寸法と横寸法に基づいて設定されることを特徴とする請求項４に記載の画像形成装置。
【請求項７】
前記傾斜面は、前記排出方向の長さが前記用紙より短いことを特徴とする請求項１〜６のいずれか一項に記載の画像形成装置。
【発明の詳細な説明】
【技術分野】
【０００１】
本発明は、複写機、プリンタ、またはファクシミリ装置等の画像形成装置に関するものである。
【背景技術】
【０００２】
画像形成装置によって画像を形成されて排出される用紙を仕分ける方法として、例えば、排出される用紙を位置又は、方向を異ならせて互い違いに積載する仕分け方法と、画像形成装置にフィニッシャと称される付属ユニットを設置して仕分ける方法とが知られている。
【０００３】
用紙を互い違いに積載する仕分け方法は、例えば、用紙が排出される位置を用紙の幅方向あるいは排出方向にずらして交互に積載する方法（例えば、特許文献１）と、用紙をある一定の角度（一般には９０度）回転させたものを交互に積載する回転ソートと称される仕分け方法が知られている（例えば、特許文献２）。
【０００４】
フィニッシャを用いて仕分ける方法は、画像形成装置から排出される用紙をフィニッシャに導入し、用紙のサイズごとに複数設けられたトレイに排出することで仕分けたり、排出された用紙の側端を整合させステイプル（綴じ）等の処理を施した後に排出して仕分けるものである。
【特許文献１】実開平３−５１７５１号公報
【特許文献２】特開２００２−６８５７５号公報
【発明の開示】
【発明が解決しようとする課題】
【０００５】
しかしながら、用紙を互い違いに積載する仕分け方法では、ずらして積載した用紙の当該ずれた部分が自重で垂れ下がってしまい、その上に更に積載される用紙が、ずれ落ちて積載されることで、仕分けされた用紙の端部が揃わなくなる問題がある。
したがって、ユーザーが仕分けされた用紙を回収する際、把持しづらく、また、ユーザーが回収した用紙を部数ごとにステイプル処理等を施す場合に、用紙を整合させる工程が必要となり煩雑である。
【０００６】
また、フィニッシャを用いて仕分ける方法では、フィニッシャを設けるコストや、スペースの問題があり、場合によっては設置できない問題がある。
【０００７】
本発明は、上述する問題点に鑑みてなされたもので、フィニッシャを設けずとも仕分けされる複数枚の用紙を整合させることが可能な画像形成装置を提供することを目的とする。
【課題を解決するための手段】
【０００８】
上記の課題を解決するために、本発明は、排出された用紙を受け取る排紙トレイを有する画像形成装置であって、上記排紙トレイは、上記用紙が排出される排出方向の一方側に向かうに従って下向し、かつ、上記排出方向に対し直交する略水平方向の一方側に向かうに従って下向する傾斜面と、上記傾斜面の上記排出方向及び上記略水平方向の下端部からそれぞれ立設される第一係止面及び第二係止面とを有する用紙受取部を備えるという構成を採用する。
このような構成を採用することによって、本発明では、排出された用紙が、自重により傾斜面に沿って滑り落ち、用紙の隣り合う二辺が落下先に設けられた２つの係止面に当接されることで、用紙の先端角を揃えさせることができる。
【０００９】
また、本発明においては、上記傾斜面は、上記排出方向の断面輪郭形状が、水平面に対する接線の傾きが上記排出方向の一方側に向かうに従って漸次大きくなる曲線形状を有するという構成を採用することによって、順次、傾斜を滑り落ちてくる用紙を２つの係止面に当接している用紙の上に効率よく積載させることができる。
【００１０】
また、本発明においては、上記傾斜面は、上記排出方向に対し略水平面直角方向の断面輪郭形状が、水平面に対する接線の傾きが上記略水平方向の一方側に向かうに従って漸次大きくなる曲線形状を有するという構成を採用する。
このような構成を採用することによって、より効率よく、順次、傾斜を滑り落ちてくる用紙を２つの係止面に当接している用紙の上に積載させることができる。
【００１１】
また、本発明においては、上記用紙受取部は、上記排出方向に、上記用紙が排出される排出速度に応じた間隔で、複数設けられるという構成を採用する。
このような構成を採用することによって、排出口から排出される用紙の速度に応じて用紙の飛距離が変化することを利用し、飛距離毎に上記用紙受取部を複数設けることで仕分けをすることができる。
【００１２】
また、本発明においては、上記間隔は、異なった用紙規格の寸法に基づいて設定されるという構成を採用する。
このような構成を採用することによって、用紙規格（例えばＡ３、Ａ４等のＪＩＳ規格）の寸法に応じた仕分けをすることができ、また、異なった用紙規格の用紙が混載した場合であっても、各用紙の端が揃うように用紙受取部の間隔を設定することで、整合させることができる。
【００１３】
また、本発明においては、上記間隔は、同じ用紙規格の縦寸法と横寸法に基づいて設定されるという構成を採用する。
このような構成を採用することによって、縦寸法と、横寸法とが違った用紙を縦と横とに積載した場合であっても、互いの用紙の端を整合させることができる。
【００１４】
また、本発明においては、上記傾斜面は、上記排出方向の長さが上記用紙より短いという構成を採用する。
このような構成を採用することによって、傾斜面から飛び出した用紙の一部を把持することで、容易に仕分けされて整合された用紙を回収することができる。
【発明の効果】
【００１５】
本発明によれば、排出された用紙を受け取る排紙トレイを有する画像形成装置であって、上記排紙トレイは、上記用紙が排出される排出方向の一方側に向かうに従って下向し、かつ、上記排出方向に対し直交する略水平方向の一方側に向かうに従って下向する傾斜面と、上記傾斜面の上記排出方向及び上記略水平方向の下端部からそれぞれ立設される第一係止面及び第二係止面とを有する用紙受取部を備えるという構成を採用することによって、排出された用紙が、自重により斜面に沿って滑り落ち、用紙の隣り合う二辺が落下先に設けられた２つの係止面に当接されることで用紙の先端角を揃えさせることができる。つまり、用紙の角を揃えることで、用紙の端部を確実に揃えさせることができる。
したがって、フィニッシャを設けずとも仕分けされる複数枚の用紙を整合させることができ、フィニッシャを設けるコスト・スペースの問題を解消すると共に、用紙の把持や、ステイプル処理等を容易にさせ、作業効率の向上を図れる効果がある。
【発明を実施するための最良の形態】
【００１６】
次に、本発明の実施形態を図面に基づいて説明する。なお、以下の図面において、各部材を認識可能な大きさとするために、各部材の縮尺を適宜変更している。
【００１７】
図１は、本実施形態における画像形成装置１の概略構成図を示す。
画像形成装置１は、用紙Ｐを貯蓄するカセット４と、用紙Ｐに画像を形成する画像形成機構２と、画像が形成された用紙Ｐを排出する排出機構１０と、画像形成機構２及び後述する駆動装置１３の動作を制御する制御装置２０と、排出された用紙Ｐを受け取る排紙トレイ３０とを有する構成となっている。
【００１８】
カセット４は、用紙Ｐの用紙規格（Ａ３、Ａ４、Ｂ５等のＪＩＳ規格）に応じた大きさのトレイが各用紙規格毎に複数設けられており、各トレイに、各用紙規格の用紙Ｐが積載されて貯蓄されている。
【００１９】
画像形成機構２は、制御装置２０の制御下で、用紙Ｐをカセット４から導入し、用紙Ｐに画像を形成するものである。
【００２０】
排出機構１０は、画像が形成された用紙Ｐを排出する排出口１１と、排出口１１から用紙Ｐを排出させる排出ローラ１２と、排出ローラ１２を回転駆動させる駆動装置１３とを有する構成となっている。
【００２１】
排出口１１は、画像形成装置１の外装を形成するフレーム３の側面に設けられ、用紙Ｐの幅方向（紙面垂直方向）に亘って開口して画像形成装置１の内部と外部とを通ずることで、用紙Ｐを外部へ排出可能な構成となっている。
【００２２】
排出ローラ１２は、フレーム３内部であって、排出口１１の近傍に、上下方向に一対となって設けられる。より詳しくは、一対となったローラの対峙位置が、排出口１１の開口幅の範囲内の高さに設けられる。
さらに、排出ローラ１２は、互いに軸方向（紙面垂直方向）に平行に設置され、駆動装置１３と接続される。
【００２３】
駆動装置１３は、フレーム３内部に設けられ、制御装置２０の制御下で、モータ等の駆動源を駆動させることで、排出ローラ１２を回転駆動させる構成となっている。
【００２４】
制御装置２０は、フレーム３内部に設けられ、画像形成機構２及び駆動装置１３に電気的に接続される。制御装置２０は、画像形成機構２及び駆動装置１３に電気信号を伝送し、駆動を制御する構成となっている。さらに、制御装置２０は、情報記憶部を有しており、ユーザーから指定された用紙Ｐの必要枚数、用紙規格等を記憶することができる構成となっている。
また、本実施形態では、制御装置２０は、駆動装置１３を制御して、排出ローラ１２の回転速度を低速、中速、高速の三段階に変化させることが可能な構成となっている。
【００２５】
排紙トレイ３０は、排出口１１の直下であってフレーム３の側面に、排出口１１から排出される用紙Ｐの排出方向に向かって、地面に対して略水平に突出する形で設けられる。したがって、排出口１１から排出された用紙Ｐを受け取ることができる構成となっている。
【００２６】
さらに、図２を参照して、排紙トレイ３０について詳しく説明する。
図２は、排紙トレイ３０の斜視図を示している。
排紙トレイ３０は、排出口１１から排出される用紙Ｐの排出方向に、３つの用紙受取部３１ａ〜３１ｃが一定間隔で設けられており、当該間隔は、上記低速、中速、高速の三段階の回転速度の変化に応じて排出される、用紙Ｐの排出速度に応じて設定されている構成となっている。
なお、用紙受取部３１ａ〜３１ｃは略同一の形状を有しているため、用紙受取部３１ｂ、３１ｃの説明は、用紙受取部３１ａの説明によって、割愛することとする。
【００２７】
用紙受取部３１ａは、排出された用紙Ｐを受け取って、排出方向及び、排出方向に対し直交する略水平方向に向かって滑り落とす傾斜面３２ａと、排出方向に向かって滑り落ちる用紙Ｐを係止させる第一係止面３３ａと、略水平方向に向かって滑り落ちる用紙Ｐを係止させる第二係止面３４ａとを有する構成となっている。
【００２８】
傾斜面３２ａは、排出方向に向かうに従って下方に向かって傾斜（以下、第一傾斜）すると共に、上記略水平方向（略紙面手前方向）に向かうに従って下方に向かって傾斜（以下、第二傾斜）する構成となっている。
第一係止面３３ａは、傾斜面３２ａの排出方向の下端部から、第二係止面３４ａは、傾斜面３２ａの上記略水平方向の下端部から、垂直方向に立設される。また、第一係止面３３ａ及び、第二係止面３４ａは、紙面手前側で互いに連結される構成となっている。
【００２９】
傾斜面３２ａについて、図３を参照して詳しく説明する。
図３（ａ）は、傾斜面３２ａの第一傾斜を説明するための、図２に示す排紙トレイ３０の線視Ｘ−Ｘ断面図を示す。
図３（ｂ）は、傾斜面３２ａの第二傾斜を説明するための、図２に示す排紙トレイ３０の線視Ｙ−Ｙ断面図を示す。
【００３０】
図３（ａ）及び、図３（ｂ）に示すＡ点、Ｂ点、Ｂ´点、Ｃ点は、図２に示す、排紙方向を正面に向け、傾斜面３２ａの左端手前をＡ点、左端奥をＢ点、右端手前をＢ´点、右端奥をＣ点で示している。
図３（ａ）及び、図３（ｂ）に上記Ａ、Ｂ、Ｂ´、Ｃ点を当てはめて見てみると、Ａ点が最も高い位置であり、Ｃ点が最も低い位置である。Ｂ点及びＢ´点は、略同じ高さであり、両点ともＡ点とＣ点の略中間の高さに位置している。
【００３１】
第一傾斜について、図３（ａ）を参照して説明する。
第一傾斜の断面輪郭形状の曲線Ｂ´Ｃ及び曲線ＡＢは、共に、排出方向に向かうに従って下方に傾斜している。より詳しくは、曲線Ｂ´Ｃ及び曲線ＡＢは、排出方向（紙面右方向）に向かうに従って、水平面に対する接線の傾きが漸次大きくなる曲線形状を有している。
したがって、第一傾斜によって、傾斜面３２ａ上に排出された用紙Ｐは、自重により、排出方向に向かうに従って下方に滑り落ちることとなる。また、排出され滑り落ちた用紙Ｐは、排出方向に向かうに従って第一傾斜が漸次大きくなることから、用紙Ｐの前方側においては傾斜面３２ａが用紙Ｐより低くなる。つまり、滑り落ちてくる用紙Ｐの先端が、傾斜面３２ａに対して若干浮く状態になり、先に排出され滑り落ちて下方に位置する用紙Ｐ上に、積載しやすくなる。
したがって、順次、第一傾斜を滑り落ちてくる用紙を効率よく積載させることができる。
【００３２】
次に、第二傾斜について、図３（ｂ）を参照して説明する。
図３（ｂ）に示す第二傾斜の断面輪郭形状の曲線ＢＣ及び曲線ＡＢ´も、第一傾斜と同様に、上記略水平方向（紙面左方向）に向かうに従って、互いに水平面に対する接線の傾きが漸次大きくなる曲線形状を有している。
したがって、第二傾斜によって、傾斜面３２ａ上に排出された用紙Ｐは、上記略水平方向に向かうに従って下方に滑り落ちることとなる。また、上記のように、第一傾斜が漸次大きくなることから、順次、第二傾斜を滑り落ちてくる用紙Ｐをより効率よく、積載させることができる。
【００３３】
以上のことから、傾斜面３２ａ上に載置された用紙Ｐは、自重により、第一傾斜及び第二傾斜に従って、排出方向と、上記略水平方向とに滑り落ちることで、結果として最下点である点Ｃに向かって滑り落ちることとなる。
【００３４】
続いて、本実施形態における画像形成装置１の動作について図１及び図４を参照して説明する。
【００３５】
図１に示すように、ユーザーは、画像形成装置１に設置された不図示のスイッチを押すことで、用紙Ｐの所望の印刷枚数、部数及び用紙規格の情報を指定し、画像形成装置１に画像形成処理を開始させる。
【００３６】
画像形成装置１内に設けられた制御装置２０は、指定された上記情報を記憶し、上記情報に基づいて画像形成機構２に画像形成処理を開始させる。
【００３７】
画像形成機構２は、制御装置２０の制御の下に、指定された用紙規格の用紙Ｐをカセット４から順次取り出し、所望の画像形成処理を施す。
画像が形成された用紙Ｐは、画像形成機構２から排出機構１０の排出ローラ１２へ、ローラやベルト等の不図示の搬送装置で搬送される。
【００３８】
ここで、制御装置２０は、用紙Ｐが仕分け一部目であることから、低速で排出ローラ１２を回転駆動させるように、駆動装置１３へ指令を伝送する。
指令を伝送された駆動装置１３は、内部に設けられたモータ等の駆動源を低速で駆動させることで、低速で排出ローラ１２を回転駆動させる。
【００３９】
排出ローラ１２は、搬送された用紙Ｐを上記低速で、上下に設置された一対のローラの回転駆動により、排出口１１から画像形成装置１の外部へ排出する。
図４に示すように、用紙Ｐは、低速で排出されるため、排出方向の飛距離が短くなり、排出口１１の手前側である排紙トレイ３０の用紙受取部３１ａ上に落下する。
【００４０】
用紙受取部３１ａ上に落下した用紙Ｐは、先ず、排出方向に低速で排出された惰性速度及び用紙Ｐの自重で、傾斜面３２ａの第一傾斜に従って排出方向に滑り落ち、傾斜面３２ａの第一傾斜先の第一係止面３３ａに用紙Ｐの排出方向の一辺が当接されて、係止される。
次いで、用紙Ｐは、自重により、傾斜面３２ａの第二傾斜に従って上記略水平方向に滑り落ち、傾斜面３２ａの第二傾斜先の第二係止面３４ａに用紙Ｐの上記略水平方向の一辺が当接されて、係止される。
つまり、用紙Ｐは、第一係止面３３ａ及び第二係止面３４ａに、用紙Ｐの隣り合う二辺が当接されることで、順次排出される用紙Ｐの先端角が（最下点のＣ点において）揃い、整合させられることとなる。
【００４１】
図１に示すように、制御装置２０は、仕分け一部目が所望の印刷枚数に達するまで上記動作を繰り返し、該印刷枚数を超えた場合に、二部目の動作を開始させる。
制御装置２０は、用紙Ｐが仕分け二部目であることから、今度は、中速で排出ローラ１２を回転駆動させるように、駆動装置１３へ指令を伝送する。
図４に示すように、用紙Ｐは、中速で排出されるため、上記低速時より排出方向の飛距離が長くなり、排紙トレイ３０の用紙受取部３１ｂ上に落下し、用紙受取部３１ｂによって整合させられることとなる。
【００４２】
また、仕分け三部目の場合は、高速で排出ローラ１２を回転駆動させ、用紙受取部３１ｃ上に落下させて、用紙Ｐを整合させることとなる。なお、用紙Ｐの用紙規格によって、用紙受取部３１ａ〜３１ｃに仕分けることもできるため、例えば、用紙受取部３１ａ、ｂはＢ５、用紙受取部３１ｃはＡ４の用紙規格を受け取るという様に、用紙Ｐの用紙規格が混載した仕分けにも対応させることができる。
また、用紙受取部３１ｃにおいて、排出方向の傾斜面３２ｃの長さが、用紙Ｐより短いことから、用紙Ｐは、傾斜面３２ｃから用紙Ｐの一部が飛び出す形で積載され、当該飛び出した用紙Ｐの一部を把持すれば、容易に整合された用紙Ｐを回収することができる。
【００４３】
上記動作によって、排出された用紙Ｐが仕分けされて整合されたものをユーザーが、用紙受取部３１ａ〜３１ｃから回収することで、一連の動作が終了することとなる。
【００４４】
したがって、上述した本実施形態によれば、排出された用紙Ｐを受け取る排紙トレイ３０を有する画像形成装置１であって、排紙トレイ３０は、用紙Ｐが排出される排出方向の一方側に向かうに従って下向し、かつ、上記排出方向に対し直交する略水平方向の一方側に向かうに従って下向する傾斜面３２ａと、傾斜面３２ａの上記排出方向及び上記略水平方向の下端部からそれぞれ立設される第一係止面３３ａ及び第二係止面３４ａとを有する用紙受取部３１ａを備えるという構成を採用することによって、排出された用紙Ｐが、自重により斜面に沿って滑り落ち、用紙Ｐの隣り合う二辺が落下先に設けられた第一係止面３３ａ及び第二係止面３４ａに当接されることで用紙Ｐの先端角を揃えさせることができる。つまり、用紙Ｐの角を揃えることで、用紙Ｐの端部を確実に揃えさせることができる。
したがって、フィニッシャを設けずとも仕分けされる用紙Ｐを部数ごとに整合させることができ、フィニッシャを設けるコスト・スペースの問題を解消すると共に、用紙Ｐの把持や、ステイプル処理等を容易にさせ、作業効率の向上を図れる効果がある。
【００４５】
また、本実施形態は、傾斜面３２ａは、上記排出方向の断面輪郭形状が、水平面に対する接線の傾きが上記排出方向の一方側に向かうに従って漸次大きくなる曲線形状を有するという構成を採用することによって、順次、傾斜を滑り落ちてくる用紙Ｐを第一係止面３３ａ及び第二係止面３４ａの２つの係止面に当接している用紙Ｐの上に効率よく積載させることができる。
【００４６】
また、本実施形態は、傾斜面３２ａは、上記排出方向に対し略水平面直角方向の断面輪郭形状が、水平面に対する接線の傾きが上記略水平方向の一方側に向かうに従って漸次大きくなる曲線形状を有するという構成を採用することによって、より効率よく、順次、傾斜を滑り落ちてくる用紙Ｐを上記２つの係止面に当接している用紙Ｐの上に積載させることができる。
【００４７】
また、本実施形態は、用紙受取部３１ａは、上記排出方向に、上記用紙Ｐが排出される排出速度に応じた間隔で、用紙受取部３１ｂ、用紙受取部３１ｃが設けられるという構成を採用することによって、排出口から排出される用紙Ｐの速度に応じて用紙Ｐの飛距離が変化することを利用し、当該飛距離毎に用紙受取部３１ａ〜３１ｃを設けることで仕分けをすることができる。
【００４８】
また、本実施形態は、傾斜面３２ｃは、上記排出方向の長さが用紙Ｐより短いという構成を採用することによって、傾斜面３２ｃから飛び出した用紙Ｐの一部を把持することで、容易に、仕分けされて整合された用紙Ｐを回収することができる。
【００４９】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５０】
例えば、上記実施形態において、仕分けされ整合された用紙Ｐは、排紙トレイ３０の用紙受取部３１ａ〜３１ｃ毎に回収すると説明した。しかしながら、本発明は、用紙受取部３１ａ〜３１ｃの設けられる間隔を、異なった用紙規格の寸法に基づいて設定することで、仕分けされ整合された用紙Ｐの異なった用紙規格同士を一度に回収させる構成であっても良い。
例えば、図５に示すように、Ａ４の規格の用紙Ｐを横にして、中速で排出し、用紙受取部３１ｂに積載した後に、Ａ３の規格の用紙を縦にして、高速で排出し、用紙受取部３１ｃに積載する。このように、異なった用紙規格の用紙Ｐを用紙受取部３１ｂの手前側のＤ点において整合させるように、用紙受取部３１ｂ、３１ｃ間の間隔を調整すれば、用紙Ｐが用紙受取部３１ｂから飛び出した手前側Ｄ点で揃うこととなる。したがって、Ｄ点近傍を把持することで、異なった用紙規格同士の用紙Ｐを一度に回収することができる。
したがって、用紙規格（例えばＡ３、Ａ４等のＪＩＳ規格）の寸法に応じた仕分けをすることができるとともに、異なった用紙規格の用紙が混載した場合であっても、各用紙の端が揃うように排紙トレイ３０の間隔を設定することで、用紙規格同士を一度に回収できる様に整合させることができる。よって、用紙Ｐを回収する作業効率を更に上げることができる効果がある。
また、上記間隔は、同じ用紙規格の縦寸法と横寸法に基づいて設定されるという構成であっても良い。例えば、縦寸法と、横寸法とが違った用紙Ｐであって、横にした用紙Ｐを用紙受取部３１ｂに、縦にした用紙Ｐを用紙受取部３１ｃに積載する場合に、用紙受取部３１ｂ、３１ｃ間の間隔を調整したものを設けることで、上記の様に互いの用紙Ｐの端を整合させて一度に回収させることができる。
なお、この場合、横にした用紙Ｐ（排出方向の寸法が短い方）を手前側に、縦にした用紙Ｐ（排出方向の寸法が長い方）を奥側に積載させるのが好ましい。さらに、上記間隔を調整するにあたって、用紙Ｐの排出速度についても調整するのが好ましい。また、排紙トレイ３０は、用紙受取部３１ａ〜３１ｃの上記間隔の調整に当たって、上記間隔を適宜調整可能な機構を有していても良い。
【００５１】
また、上記実施形態において、傾斜面３２ａ〜３２ｃは、上記排出方向及び上記略水平方向の断面輪郭形状が、水平面に対する接線の傾きが漸次大きくなる曲線形状を有すると説明したが、必ずしも上記曲線形状である必要は無く、直線的に傾斜する構成であっても良い。
【００５２】
また、上記実施形態では、制御装置２０は、駆動装置１３を制御して、排出ローラ１２の回転速度を低速、中速、高速の三段階に変化させると説明した。しかしながら、本発明は、上記構成に限定されるものではなく、多段階に速度を変化させる構成であっても良い。なお、この場合、その多段階の速度変化に対応させて、排紙トレイ３０に用紙受取部３１を複数設けるのが好ましい。
【図面の簡単な説明】
【００５３】
【図１】本発明の実施の形態における画像形成装置の構成図である。
【図２】本発明の実施の形態における排紙トレイの斜視図である。
【図３】本発明の実施の形態における図２に示す排紙トレイの線視Ｘ−Ｘ断面図及び、線視Ｙ−Ｙ断面図である。
【図４】本発明の実施の形態における排紙トレイ上に排出された用紙の動きを説明する斜視図である。
【図５】本発明の実施の形態における排紙トレイと排紙トレイに積載された用紙を示す斜視図である。
【符号の説明】
【００５４】
１…画像形成装置、３０…排紙トレイ、３１ａ，３１ｂ，３１ｃ…用紙受取部、３２ａ，３２ｂ，３２ｃ…傾斜面、３３ａ，３３ｂ，３３ｃ…第一係止面、３４ａ，３４ｂ，３４ｃ…第二係止面
【図１】
2009040520.tif 000003
【図２】
2009040520.tif 000004
【図３】
2009040520.tif 000005
【図４】
2009040520.tif 000006
【図５】
2009040520.tif 000007